(57)【要約】【課題】コンテンツを選択する操作を容易にすることが可能な技術を提供する。【解決手段】表示制御装置１は、記録媒体３０ａに記録されたコンテンツＣＴ１に付加されている付加情報ＤＡ１のうち抽出対象の複数の条件ＣＮ１を満たす付加情報ＤＡ１を抽出する抽出手段Ｕ１と、抽出された付加情報ＤＡ１を条件ＣＮ１毎に第一所定方向Ｄ１へ並べた付加情報列Ｌ２を第一所定方向Ｄ１とは異なる第二所定方向Ｄ２へ並べた付加情報リストＬ１を表示部（４０）に表示させるリスト表示制御手段Ｕ２と、を備える。【選択図】図５
2016009908.tif 000002
【特許請求の範囲】
【請求項１】
記録媒体に記録されたコンテンツに付加されている付加情報のうち抽出対象の複数の条件を満たす付加情報を抽出する抽出手段と、
抽出された付加情報を前記条件毎に第一所定方向へ並べた付加情報列を前記第一所定方向とは異なる第二所定方向へ並べた付加情報リストを表示部に表示させるリスト表示制御手段と、を備えた表示制御装置。
【請求項２】
前記リスト表示制御手段は、前記付加情報列に対応する条件を該付加情報列に対応付けて前記表示部に表示させる、請求項１に記載の表示制御装置。
【請求項３】
前記付加情報リスト中から処理対象のコンテンツの選択操作を受け付けるコンテンツ選択手段と、
選択操作されたコンテンツに対して所定の処理を行うコンテンツ処理手段と、を備えた請求項１又は請求項２に記載の表示制御装置。
【請求項４】
前記条件には、番組のシリーズが含まれ、
前記抽出手段は、前記記録媒体に記録されたコンテンツに付加されている付加情報のうち前記シリーズの番組に対応する付加情報を抽出する、請求項１〜請求項３のいずれか一項に記載の表示制御装置。
【請求項５】
番組の一覧を前記表示部に表示させる番組一覧表示制御手段を備え、
前記抽出手段は、前記表示部に表示された番組の一覧の中から前記付加情報リストに含める付加情報列の条件の選択操作を受け付け、選択操作された条件を含む抽出対象の複数の条件を満たす付加情報を抽出する、請求項１〜請求項４のいずれか一項に記載の表示制御装置。
【請求項６】
前記抽出手段は、前記付加情報リストに含める付加情報列の条件として番組のジャンル、出演者名、及び、キーワードの少なくとも一つの操作入力を受け付け、操作入力された条件を含む抽出対象の複数の条件を含む付加情報を抽出する、請求項１〜請求項５のいずれか一項に記載の表示制御装置。
【請求項７】
前記リスト表示制御手段は、前記付加情報列に番組のシリーズの最終回に対応する付加情報が含まれている場合、最終回が含まれていることを表す情報を前記付加情報列に対応付けて前記表示部に表示させる、請求項１〜請求項６のいずれか一項に記載の表示制御装置。
【請求項８】
前記記録媒体には、コンテンツの記録方法の種類を表す記録方法種類情報がコンテンツに対応付けられて記録されており、
前記リスト表示制御手段は、前記記録方法種類情報に基づいてコンテンツの記録方法の種類を表す情報を前記付加情報列に対応付けて前記表示部に表示させる、請求項１〜請求項７のいずれか一項に記載の表示制御装置。
【請求項９】
前記リスト表示制御手段は、前記付加情報列のソート条件の選択操作を受け付け、選択操作されたソート条件に従って、前記付加情報列に含まれる付加情報と前記付加情報列の少なくとも一方をソートして前記付加情報リストを更新する、請求項１〜請求項８のいずれか一項に記載の表示制御装置。
【請求項１０】
記録媒体に記録されたコンテンツに付加されている付加情報のうち抽出対象の複数の条件を満たす付加情報を抽出し、
抽出された付加情報を前記条件毎に第一所定方向へ並べた付加情報列を前記第一所定方向とは異なる第二所定方向へ並べた付加情報リストを表示部に表示させる、表示制御方法。
【請求項１１】
記録媒体に記録されたコンテンツに付加されている付加情報のうち抽出対象の複数の条件を満たす付加情報を抽出する抽出機能と、
抽出された付加情報を前記条件毎に第一所定方向へ並べた付加情報列を前記第一所定方向とは異なる第二所定方向へ並べた付加情報リストを表示部に表示させるリスト表示制御機能と、をコンピューターに実現させる表示制御プログラム。
【発明の詳細な説明】
【技術分野】
【０００１】
本発明は、表示制御装置、表示制御方法、及び、表示制御プログラムに関する。
【背景技術】
【０００２】
例えば、ハードディスクレコーダーといった記録再生装置は、録画したテレビ番組（コンテンツ）を例えば録画日時順にリスト表示している。ユーザーは、録画日時順の録画リストの中からカーソルキー等を操作して再生したいテレビ番組を探している。また、録画したテレビ番組をフォルダ毎に仕分けする機能を有する記録再生装置も知られている。
【０００３】
特許文献１に示される録画再生装置は、ユーザーの好む番組を示す嗜好情報を分析し、分析した嗜好情報と一致する番組情報を持つ番組を検索し、抽出された番組を予約して録画し、録画された番組を縦横に並べて一覧表示する。この録画再生装置は、抽出された番組の録画時に、一致した嗜好情報を関連付けて記録し、録画番組を一覧表示する際に、前記関連付けられて記録された嗜好情報を併せて表示する。
【先行技術文献】
【特許文献】
【０００４】
【特許文献１】特開２００６−３２５０１１号公報
【発明の概要】
【発明が解決しようとする課題】
【０００５】
しかし、録画番組に併せて表示される嗜好情報は、縦方向にも横方向にも関連無く表示されるだけである。このため、自分好みの番組を探すためには、カーソルキーでリストのページ切り換えをする等の煩わしい操作が必要である。尚、このような問題は、ハードディスクレコーダーに限らず、種々の表示システム、及び、該表示システムに含まれる表示制御装置についても、同様に存在する。
【０００６】
本発明は、コンテンツを選択する操作を容易にすることが可能な技術を提供する目的を有している。
【課題を解決するための手段】
【０００７】
本発明の表示制御装置は、記録媒体に記録されたコンテンツに付加されている付加情報のうち抽出対象の複数の条件を満たす付加情報を抽出する抽出手段と、
抽出された付加情報を前記条件毎に第一所定方向へ並べた付加情報列を前記第一所定方向とは異なる第二所定方向へ並べた付加情報リストを表示部に表示させるリスト表示制御手段と、を備えた、態様を有する。
【０００８】
また、本発明の表示制御方法は、記録媒体に記録されたコンテンツに付加されている付加情報のうち抽出対象の複数の条件を満たす付加情報を抽出し、
抽出された付加情報を前記条件毎に第一所定方向へ並べた付加情報列を前記第一所定方向とは異なる第二所定方向へ並べた付加情報リストを表示部に表示させる、態様を有する。
【０００９】
さらに、本発明の表示制御プログラムは、記録媒体に記録されたコンテンツに付加されている付加情報のうち抽出対象の複数の条件を満たす付加情報を抽出する抽出機能と、
抽出された付加情報を前記条件毎に第一所定方向へ並べた付加情報列を前記第一所定方向とは異なる第二所定方向へ並べた付加情報リストを表示部に表示させるリスト表示制御機能と、をコンピューターに実現させる、態様を有する。
【発明の効果】
【００１０】
請求項１，１０，１１に係る発明によれば、コンテンツを選択する操作を容易にすることが可能となる。
請求項２，３，７〜９に係る発明では、コンテンツを選択する操作をさらに容易にすることが可能となる。
請求項４に係る発明では、記録コンテンツを選択する操作の快適性を向上させることができる。
請求項５，６に係る発明では、ユーザーの好みに応じた付加情報リストを作成することが容易になる。
【図面の簡単な説明】
【００１１】
【図１】表示制御装置１を含む表示システムの構成例を模式的に示すブロック図。
【図２】記録媒体３０ａに記録される情報の構造例を模式的に示す図。
【図３】付加情報リストを表示して処理を受け付けるコンテンツ選択実行処理の第一の例を示すフローチャート。
【図４】付加情報リストの構造例を模式的に示す図。
【図５】付加情報リストの表示画面例を模式的に示す図。
【図６】番組一覧から条件ＣＮ１を選択して付加情報リストを表示するコンテンツ選択実行処理の例を示すフローチャート。
【図７】コンテンツ選択実行処理の第二の例を示すフローチャート。
【図８】コンテンツ選択実行処理の第三の例を示すフローチャート。
【図９】コンテンツ選択実行処理の第四の例を示すフローチャート。
【図１０】コンテンツ選択実行処理の第五の例を示すフローチャート。
【図１１】再生リスト登録設定画面５１の例を模式的に示す図。
【図１２】録画リスト５２の例を模式的に示す図。
【図１３】出演者入力画面５３の例を模式的に示す図。
【図１４】ジャンル選択画面５４の例を模式的に示す図。
【図１５】キーワード入力画面５５の例を模式的に示す図。
【図１６】表示列設定画面５６の例を模式的に示す図。
【図１７】コンテンツ選択実行処理の第六の例を示すフローチャート。
【図１８】再生リストソート表示設定画面５７の例を模式的に示す図。
【発明を実施するための形態】
【００１２】
以下、本発明の実施形態を説明する。むろん、以下に説明する実施形態は、本発明を例示するものに過ぎない。
【００１３】
（１）表示制御装置、表示制御方法、及び、表示制御プログラムの概要：
まず、図１〜１８を適宜参照して、表示制御装置、表示制御方法、及び、表示制御プログラムの概要を説明する。
【００１４】
［態様１］（図１〜１８参照）
表示制御装置１は、基本要素として、抽出手段Ｕ１とリスト表示制御手段Ｕ２を備える。抽出手段Ｕ１は、記録媒体３０ａに記録されたコンテンツＣＴ１に付加されている付加情報ＤＡ１のうち抽出対象の複数の条件ＣＮ１を満たす付加情報ＤＡ１を抽出する。リスト表示制御手段Ｕ２は、抽出された付加情報ＤＡ１を前記条件ＣＮ１毎に第一所定方向Ｄ１へ並べた付加情報列Ｌ２を前記第一所定方向Ｄ１とは異なる第二所定方向Ｄ２へ並べた付加情報リストＬ１を表示部（図１では表示装置４０）に表示させる。
【００１５】
表示部（４０）に表示される付加情報リストＬ１は、抽出された付加情報ＤＡ１が抽出対象の条件ＣＮ１毎に第一所定方向Ｄ１へ並べられた付加情報列Ｌ２がフォルダ毎に仕分けされている訳ではなく、第二所定方向Ｄ２へ並べられている。付加情報がフォルダ毎に仕分けされていると記録コンテンツを探すためにフォルダの階層移動をする等の煩わしい操作が必要であるが、上記態様は、付加情報列Ｌ２を構成する付加情報ＤＡ１は抽出対象の条件ＣＮ１が共通し、このような付加情報列Ｌ２が第二所定方向Ｄ２へ並べられている。これにより、再生したい記録コンテンツを探すまでにかかる操作の煩わしさが軽減され、ユーザーは、所望の記録コンテンツＣＴ１を探し易い。従って、本態様は、コンテンツを選択する操作を容易にすることが可能な表示制御装置を提供することができる。
尚、記録媒体には、ハードディスク、フラッシュメモリ、ＢＤ（ブルーレイディスク）、ＤＶＤ（Digital Versatile Disc）、ＣＤ（Compact Disc）、等が含まれる。表示制御装置には、記録媒体に対して記録及び再生を行うことが可能な記録再生装置、記録媒体に対して再生のみ行う再生装置、表示装置といった別の装置と一体化された表示制御装置、等が含まれる。むろん、表示制御装置は、車載用でもよいし、車載用でなくてもよい。
前記第一所定方向は、縦方向でもよいし、横方向でもよいし、斜め方向でもよい。前記第二所定方向は、第一所定方向とは異なる方向であればよく、第一所定方向と４５〜８５°異なる方向等、第一所定方向と直交する方向に限定されない。むろん、第二所定方向は、横方向でもよいし、縦方向でもよいし、斜め方向でもよい。
【００１６】
［態様２］（図１〜１８参照）
前記リスト表示制御手段Ｕ２は、前記付加情報列Ｌ２に対応する条件ＣＮ１を該付加情報列Ｌ２に対応付けて前記表示部（４０）に表示させてもよい。この態様は、付加情報リストＬ１を見れば付加情報列Ｌ２に対応する条件ＣＮ１が判るので、コンテンツを選択する操作がさらに容易となる。
【００１７】
［態様３］（図１〜１８参照）
本表示制御装置１は、前記付加情報リストＬ１中から処理対象のコンテンツＣＴ１の選択操作を受け付けるコンテンツ選択手段Ｕ３を備えてもよい。また、本表示制御装置１は、選択操作されたコンテンツＣＴ１に対して所定の処理を行ってもよい。本態様は、付加情報リストＬ１中から処理対象のコンテンツＣＴ１の選択操作を行うことができるので、コンテンツを選択する操作がさらに容易となる。
尚、所定の処理には、記録コンテンツを再生する処理、記録コンテンツを編集する処理、等が含まれる。記録コンテンツを編集する処理には、記録コンテンツに保護をかける処理、記録コンテンツを削除する処理、等が含まれる。
【００１８】
［態様４］（図３〜６参照）
前記条件ＣＮ１に番組のシリーズが含まれる場合、前記抽出手段Ｕ１は、前記記録媒体３０ａに記録されたコンテンツＣＴ１に付加されている付加情報ＤＡ１のうち前記シリーズの番組に対応する付加情報を抽出してもよい。この態様は、番組のシリーズ毎に付加情報列Ｌ２が表示されるので、記録コンテンツを選択する操作の快適性を向上させることができる。
【００１９】
［態様５］（図６，１０，１２参照）
本表示制御装置１は、番組の一覧を前記表示部（４０）に表示させる番組一覧表示制御手段Ｕ５を備えてもよい。前記抽出手段Ｕ１は、前記表示部（４０）に表示された番組の一覧の中から前記付加情報リストＬ１に含める付加情報列Ｌ２の条件ＣＮ１の選択操作を受け付け、選択操作された条件を含む抽出対象の複数の条件ＣＮ１を満たす付加情報ＤＡ１を抽出してもよい。本態様は、番組の一覧の中から付加情報リストＬ１に含める付加情報列Ｌ２の条件ＣＮ１の選択操作を行うことができるので、ユーザーの好みに応じた付加情報リストを作成することが容易になる。
尚、番組の一覧には、記録したコンテンツのリスト、記録を予約しているコンテンツのリスト、ＥＰＧ（Electronic Program Guide；電子番組ガイド）、等が含まれる。
【００２０】
［態様６］（図７，１０，１３〜１５参照）
前記抽出手段Ｕ１は、前記付加情報リストＬ１に含める付加情報列Ｌ２の条件ＣＮ１として番組のジャンル、出演者名、及び、キーワードの少なくとも一つの操作入力を受け付け、操作入力された条件を含む抽出対象の複数の条件ＣＮ１を含む付加情報ＤＡ１を抽出してもよい。この態様は、番組のジャンル、出演者名、及び、キーワードの少なくとも一つを操作入力することができるので、ユーザーの好みに応じた付加情報リストを作成することが容易になる。
【００２１】
［態様７］（図８参照）
前記リスト表示制御手段Ｕ２は、前記付加情報列Ｌ２に番組のシリーズの最終回に対応する付加情報ＤＡ１が含まれている場合、最終回が含まれていることを表す情報（図５では最終回検知を表す色）を前記付加情報列Ｌ２に対応付けて前記表示部（４０）に表示させてもよい。この態様は、付加情報リストＬ１を見れば番組のシリーズの最終回が含まれていることが判るので、コンテンツを選択する操作がさらに容易となる。
【００２２】
［態様８］（図９参照）
前記記録媒体３０ａには、コンテンツＣＴ１の記録方法の種類を表す記録方法種類情報ＤＡ２がコンテンツＣＴ１に対応付けられて記録されてもよい。前記リスト表示制御手段Ｕ２は、前記記録方法種類情報ＤＡ２に基づいてコンテンツＣＴ１の記録方法の種類を表す情報を前記付加情報列Ｌ２に対応付けて前記表示部（４０）に表示させてもよい。本態様は、付加情報リストＬ１を見ればコンテンツＣＴ１の記録方法の種類が判るので、コンテンツを選択する操作がさらに容易となる。
【００２３】
［態様９］（図１７，１８参照）
前記リスト表示制御手段Ｕ２は、前記付加情報列Ｌ２のソート条件の選択操作を受け付け、選択操作されたソート条件に従って前記付加情報列Ｌ２に含まれる付加情報ＤＡ１と付加情報列Ｌ２の少なくとも一方をソートして前記付加情報リストＬ１を更新してもよい。本態様は、付加情報列Ｌ２に含まれる付加情報ＤＡ１と付加情報列Ｌ２の少なくとも一方がソートされるので、コンテンツを選択する操作がさらに容易となる。
【００２４】
［態様１０］（図１〜１８参照）
上記態様１〜９のいずれかの表示制御装置１に対応した表示制御方法の態様も、上述した効果を奏する。
【００２５】
［態様１１］（図１〜１８参照）
上記態様１〜９のいずれかの表示制御装置１に対応した表示制御プログラムＰ１の態様も、上述した効果を奏する。
【００２６】
（２）表示制御装置の構成例の説明：
まず、後述する各種の例に共通の表示制御装置構成の例を説明する。
図１は、表示制御装置１を含む表示システムの構成例を模式的に示している。図２は、記録媒体３０ａに記録される情報の例を模式的に示している。表示制御装置１が記録再生装置である場合、表示制御装置１は、例えば、表示システムの構成要素１０，１４，１５，２１〜２４，３０，４０のうち外付けハードディスクドライブ３２及び表示装置４０を除いた構成要素１０，１４，１５，２１〜２４，３１で構成することができる。この場合、リモコン（リモートコントローラ）１５とチューナ２１は、省略可能である。表示制御装置１がテレビジョン受像機（ＴＶ）である場合、表示制御装置１は、表示システムの構成要素のうち外付けハードディスクドライブ３２を除いた構成要素１０，１４，１５，２１〜２４，３１，４０で構成することができる。この場合、リモコン１５と記憶装置３０は、省略可能である。以下、表示制御装置１が記録再生装置である場合について、説明する。
【００２７】
図１に示す記録再生装置（表示制御装置１）は、複数のデジタルチューナ２１、デマルチプレクサ２２、デコーダ２３、情報合成部２４、内蔵ハードディスクドライブ３１、操作部１４、主制御部１０、等を備えている。主制御部１０は、ＣＰＵ（Central Processing Unit）１１、メモリ１２、タイマ回路１３、等を備えている。メモリ１２には、例えば、ＲＯＭ（Read Only Memory）、ＲＡＭ（Random Access Memory）、及び、書き換え可能な不揮発性メモリ（例えばフラッシュメモリ）が含まれる。
【００２８】
各チューナ２１は、トランスポートストリーム（ＴＳ）を含むデジタル放送信号を受信して復調する。本記録再生装置は、指定された複数のチャンネルで受信されるテレビコンテンツを同時に並行して録画することが可能である。複数のチューナ２１には、例えば、複数の地デジチューナ（地上デジタル放送用のチューナ）、複数のＢＳ（Broadcasting Satellite）チューナ（ＢＳデジタル放送用のチューナ）、及び、複数のＣＳ（Communication Satellite）チューナ（ＣＳ放送用のチューナ）が含まれる。むろん、これらのチューナ以外のチューナ（例えばアナログチューナ）が複数のチューナ２１に含まれてもよい。
【００２９】
デマルチプレクサ２２は、デジタル放送信号から映像データや音声データ等を分離する。分離されるデータには、図２に示すように、映像データ及び音声データ等を含むコンテンツＣＴ１に付加される付加情報ＤＡ１が含まれる。デマルチプレクサ２２は、デジタル放送信号に重畳されているＥＰＧ情報等を抽出することも可能である。デコーダ２３は、前記映像データ及び前記音声データをデコードして映像信号及び音声信号に変換する。情報合成部２４は、主制御部１０からのＯＳＤ（On Screen Display）信号と前記映像信号とを合成したり、主制御部１０からの音声合成用信号と前記音声信号とを合成したりする。図５に示す再生リスト（付加情報リスト）Ｌ１は、ＯＳＤ信号として映像信号に重畳される。情報合成部２４からの映像信号は、ビデオ出力端子を介してＴＶといった外部機器（図１では表示装置４０）に供給される。再生リストＬ１を含む映像信号は、情報合成部２４からビデオ出力端子を通って表示装置４０等に入り、再生リストＬ１が画面４１に表示される。情報合成部２４からの音声信号は、オーディオ出力端子を介してＴＶといった外部機器（図１では表示装置４０）に供給される。
【００３０】
内蔵ハードディスクドライブ３１は、記録媒体３０ａの一種であるハードディスク３１ａを有している。本記録再生装置には、ＵＳＢ（universal serial bus）インターフェイスといった通信インターフェイスを介して外付けハードディスクドライブ３２を接続可能である。外付けハードディスクドライブ３２は、記録媒体３０ａの一種であるハードディスク３２ａを有している。尚、ハードディスクドライブ３１，３２を記憶装置３０と総称し、ハードディスク３１ａ，３２ａを記録媒体３０ａと総称する。
【００３１】
操作部１４及びリモコン１５は、記録再生装置の本体電源のオンオフ操作、録画操作、再生操作、等といった各種操作を行うための複数のキー１４ａ，１５ａを有している。操作部１４は、リモコン１５からの操作指令を示す光信号を受信する受光手段を備え、この受光手段により光信号を電気信号に変換して主制御部１０に指令信号を出力する。操作部１４は、例えば、記録再生装置の本体の前面に設けられる。
【００３２】
主制御部１０は、メモリ１２に記憶されているプログラムや情報に従って記録再生装置全体の処理を行うＣＰＵ１１に従って上記各構成要素を制御する。メモリ１２には、本技術の表示制御プログラムＰ１及び条件ＣＮ１が書き込まれている。主制御部１０は、ＬＳＩ（Large Scale Integration）を主体とした回路で構成することができる。例えば、主制御部１０は、デマルチプレクサ２２からのコンテンツＣＴ１等を記憶装置３０に記憶させる制御、記憶装置３０からのコンテンツＣＴ１等を再生する制御、等を行う。尚、主制御部１０は、抽出手段Ｕ１、リスト表示制御手段Ｕ２、コンテンツ選択手段Ｕ３、コンテンツ処理手段Ｕ４、及び、番組一覧表示制御手段Ｕ５を構成する。表示制御プログラムＰ１は、これらの手段Ｕ１〜Ｕ５に対応した抽出機能、リスト表示制御機能、コンテンツ選択機能、コンテンツ処理機能、及び、番組一覧表示制御機能をコンピューターに実現させる。
【００３３】
図２に示す記録媒体３０ａには、複数のコンテンツＣＴ１が記録され、各コンテンツＣＴ１に付加された付加情報ＤＡ１も記録されている。付加情報ＤＡ１には、コンテンツＣＴ１の識別情報（ＩＤ）、タイトル、記録日時、番組のシリーズを表すシリーズ情報、ジャンル、出演者名、入力されたキーワード、等が含まれる。また、記録媒体３０ａには、コンテンツＣＴ１の記録方法の種類を表す記録方法種類情報ＤＡ２等もコンテンツＣＴ１に対応付けて記録されている。尚、番組のシリーズは、共通する内容を有し繰り返し放送される続き物の番組の集まりを意味する。ジャンルは、図１４に示すように、「映画」、「ドラマ」、といった共通する分野を意味する。
【００３４】
（３）表示制御装置、表示制御方法、及び、表示制御プログラムの第一の例：
図３は、シリーズ毎の付加情報列を並べた再生リストＬ１を表示して処理を受け付けるコンテンツ選択実行処理の第一の例を示している。この処理は、主制御部１０が主体となって行う。図４は、再生リストＬ１の構造例を模式的に示している。図５は、再生リストＬ１の表示画面例を模式的に示している。第一の例では、所定の曜日の同じ時間帯を繰り返し録画するための周期予約、ジャンルや出演者名やキーワード等の条件で検索された番組を自動的に録画するためのおまかせ自動録画、等の好みの録画予約設定で録画した番組を全て一覧表示する。視聴する番組はほぼ決まっているため、非常に快適な再生操作が可能となる。
図３に示す処理は、例えば、操作部１４及びリモコン１５のキー１４ａ，１５ａにより再生リストＬ１を表示させる操作を受け付けることにより行われる。キー１４ａ，１５ａに設けられるリスト表示キーの１回の操作を受け付けてもよい。図８〜１０，１７に示す処理も、同様である。図３に示す処理は、マルチタスクにより他の処理と並列して行われる。第二の例以降においても、同様である。尚、ステップＳ１０２〜Ｓ１０４は抽出手段Ｕ１に対応し、ステップＳ１０６〜Ｓ１１０はリスト表示制御手段Ｕ２に対応し、ステップＳ１１２はコンテンツ選択手段Ｕ３に対応し、ステップＳ１１４はコンテンツ処理手段Ｕ４に対応している。以下、「ステップ」の記載を省略する。
【００３５】
処理が開始されると、主制御部１０は、図２に示すように記録媒体３０ａに記録されたコンテンツＣＴ１に付加されている付加情報ＤＡ１からシリーズ情報を抽出する（Ｓ１０２）。前記シリーズ情報は、抽出対象の条件ＣＮ１である。Ｓ１０４では、抽出されたシリーズ情報に基づいて、シリーズの番組の対応する表示用の付加情報ＤＡ１を抽出する。図４では、シリーズ情報として「おじいちゃん…」、「…ミステリー」、等が抽出され、シリーズ「おじいちゃん…」について「水曜日…」、「木曜日…」、といったサブタイトル等の表示する付加情報ＤＡ１が取得され、シリーズ「…ミステリー」について「嵐山トロッコ…」、「嵐山に…」、といったサブタイトル等の表示する付加情報ＤＡ１が取得されたことが示されている。このようにして、付加情報ＤＡ１のうち抽出対象の複数の条件ＣＮ１を満たす付加情報ＤＡ１が抽出される。
【００３６】
Ｓ１０６では、抽出された付加情報ＤＡ１のそれぞれをシリーズ毎に表示の縦方向（第一所定方向Ｄ１）へ並べて付加情報列Ｌ２を生成し、付加情報列Ｌ２に対応するシリーズ情報（条件ＣＮ１）を該付加情報列Ｌ２に対応付ける。図４では、シリーズ「おじいちゃん…」について５番組分の付加情報ＤＡ１が縦方向へ並べられた付加情報列Ｌ２が生成され、この付加情報列Ｌ２に対応するシリーズ「おじいちゃん…」が該付加情報列Ｌ２に対応付けられたことが示されている。また、シリーズ「…ミステリー」について４番組分の付加情報ＤＡ１が縦方向へ並べられた付加情報列Ｌ２が生成され、この付加情報列Ｌ２に対応するシリーズ「…ミステリー」が該付加情報列Ｌ２に対応付けられたことが示されている。
【００３７】
Ｓ１０８では、付加情報列Ｌ２を表示の横方向（第二所定方向Ｄ２）へ並べて再生リストＬ１を生成する。図４に示すように、再生リストＬ１は、抽出された付加情報ＤＡ１を条件ＣＮ１毎に表示の縦方向（Ｄ１）へ並べた付加情報列Ｌ２を表示の横方向（Ｄ２）へ並べたリストとされている。Ｓ１１０では、再生リストＬ１を表示させるＯＳＤ信号を情報合成部２４へ出力し、図５に示すような再生リストＬ１を表示装置（表示部）４０に表示させる。この再生リストＬ１の各付加情報列Ｌ２には、付加情報列Ｌ２に対応するシリーズが対応付けられている。尚、図５に示すように視聴回数ＤＡ１１が各番組に付けられてもよい。
【００３８】
Ｓ１１２では、表示された再生リストＬ１中から処理対象のコンテンツＣＴ１の選択操作を受け付ける。この選択操作は、例えば、再生リストＬ１に設けられるカーソルＣＲ１を操作部１４又はリモコン１５のカーソルキーで移動させて確定キーを押す等により受け付けられる。Ｓ１１４では、選択操作されたコンテンツＣＴ１に対して所定の処理を行う。例えば、図５に示す状態で操作部１４又はリモコン１５の再生キーが操作されると、「嵐山トロッコ…」のコンテンツが再生される。操作部１４又はリモコン１５の編集キーが操作されると、図示しない編集画面が表示され、「嵐山トロッコ…」のコンテンツを保護状態にしたり削除したりすることができる。
【００３９】
Ｓ１１６では、コンテンツ選択実行処理を終了するか否かを判断する。例えば、操作部１４又はリモコン１５の終了キーが操作されると、主制御部１０は、コンテンツ選択実行処理を終了させる。また、操作部１４又はリモコン１５のリスト表示キーが操作されると、主制御部１０は、Ｓ１０２〜Ｓ１１６の処理を繰り返す。例えば、あるコンテンツＣＴ１がＳ１１４において削除されると、削除されたコンテンツＣＴ１の付加情報ＤＡ１が再生リストＬ１から消える。
【００４０】
以上説明したように、付加情報列Ｌ２を構成する付加情報ＤＡ１は抽出対象の条件ＣＮ１であるシリーズが共通し、このような付加情報列Ｌ２が第二所定方向Ｄ２へ並べられているので、ユーザーは所望の記録コンテンツＣＴ１を探し易い。従って、本技術は、記録コンテンツを選択する操作が容易であり、快適な操作が可能である。
【００４１】
また、図６に示すように、番組一覧から条件ＣＮ１を選択して再生リストＬ１を表示してもよい。図６に示すコンテンツ選択実行処理は、例えば、操作部１４及びリモコン１５のキー１４ａ，１５ａにより番組一覧を表示させる操作を受け付けることにより行われる。この番組一覧は、図１２に示すような記録済コンテンツＣＴ１の録画リストでもよいし、記録を予約しているコンテンツのリストでもよいし、ＥＰＧでもよい。尚、Ｓ１２２は番組一覧表示制御手段Ｕ５に対応し、Ｓ１２４〜Ｓ１２８及び図３のＳ１０２は抽出手段Ｕ１に対応している。
【００４２】
処理が開始されると、主制御部１０は、番組一覧を表示装置４０に表示させる（Ｓ１２２）。Ｓ１２４では、表示させた番組一覧の中から再生リストＬ１に表示したいシリーズの番組の選択操作を受け付ける。この選択操作は、例えば、番組一覧に設けられるカーソルを操作部１４又はリモコン１５のカーソルキーで移動させて確定キーを押す等により受け付けられる。このようにして、主制御部１０は、表示された番組の一覧の中から再生リストＬ１に含める付加情報列Ｌ２の条件ＣＮ１の選択操作を受け付ける。Ｓ１２６では、表示したいシリーズの番組が記録媒体３０ａに記録されているか否かを判断する。記録されている場合、主制御部１０は、選択操作を受け付けた番組のシリーズを抽出対象の条件ＣＮ１としてメモリ１２に格納し（Ｓ１２８）、図３で示したＳ１０２〜Ｓ１１６の処理を行って（Ｓ１３０）、図６に示す処理を終了させる。すると、選択操作されたシリーズに対応した付加情報ＤＡ１、すなわち、選択操作された条件ＣＮ１を満たす付加情報ＤＡ１が抽出され、抽出された付加情報ＤＡ１に基づいて再生リストＬ１が生成されて表示され、必要に応じて選択操作されたコンテンツＣＴ１に対して所定の処理が行われる。表示したいシリーズの番組が記録媒体３０ａに記録されていない場合、主制御部１０は、該当の番組が記録されていないことを通知し（Ｓ１３２）、図６に示す処理を終了させる。この通知処理は、該当の番組が記録されていないことを表示させるＯＳＤ信号を情報合成部２４へ出力する処理でもよいし、該当の番組が記録されていないことを音声出力させる音声合成用信号を情報合成部２４へ出力する処理でもよい。
【００４３】
以上説明したように、図６に示す具体例は、番組の一覧の中から再生リストＬ１に含める付加情報列Ｌ２の条件ＣＮ１の選択操作を行うことができるので、ユーザーの好みに応じた付加情報リストを作成することが容易になる。
【００４４】
（４）表示制御装置、表示制御方法、及び、表示制御プログラムの第二の例：
図７は、主制御部１０が主体となって行うコンテンツ選択実行処理の第二の例を示している。第二の例では、ジャンル、出演者、又は、キーワード検索で引っかかった番組のみを一覧で表示する。特に固定の番組を視聴する形ではないが、好きな俳優や女優が出演する番組のみで再生リストの構成が可能となる。
図７に示す処理は、例えば、操作部及びリモコンのキー１４ａ，１５ａにより、図１４に示すようなジャンル選択画面５４、図１３に示すような出演者入力画面５３、又は、図１５に示すようなキーワード入力画面５５を表示させる操作を受け付けることにより行われる。尚、Ｓ２０２〜Ｓ２１０は抽出手段Ｕ１に対応している。
【００４５】
処理が開始されると、主制御部１０は、ジャンル選択画面５４、出演者入力画面５３、又は、キーワード入力画面５５を表示装置４０に表示させる（Ｓ２０２）。これらの画面５３〜５５は、キー１４ａ，１５ａの操作により切り換え可能とされてもよいし、同時に表示されてもよい。Ｓ２０４では、表示させた画面５３〜５５に従って、再生リストＬ１に表示したい番組のジャンル、出演者名、又は、キーワードの選択操作を受け付ける。この選択操作は、例えば、画面５３〜５５に設けられるカーソルを操作部１４又はリモコン１５のカーソルキーで移動させて確定キーを押す等により受け付けられる。このようにして、主制御部１０は、再生リストＬ１に含める付加情報列Ｌ２の条件として番組のジャンル、出演者名、及び、キーワードの少なくとも一つの操作入力を受け付ける。
【００４６】
Ｓ２０６では、表示したい条件ＣＮ１の番組が記録媒体３０ａに記録されているか否かを判断する。記録されている場合、主制御部１０は、選択操作を受け付けた条件を抽出対象の条件ＣＮ１としてメモリ１２に格納し（Ｓ２０８）、条件ＣＮ１を満たす付加情報ＤＡ１を抽出する（Ｓ２１０）。Ｓ２１２では、抽出した付加情報ＤＡ１に基づいて再生リストＬ１を生成して表示装置４０に表示させる。Ｓ２１４では、表示された再生リストＬ１の中から処理対象のコンテンツＣＴ１の選択操作を受け付ける。Ｓ２１６では、選択操作されたコンテンツＣＴ１に対して所定の処理を行う。主制御部１０は、Ｓ２１８において、コンテンツ選択実行処理を終了すると判断した場合に図７に示す処理を終了させ、終了しないと判断した場合に処理をＳ２０２に戻す。
【００４７】
以上より、選択操作されたジャンル、出演者名、又は、キーワードを含む付加情報ＤＡ１、すなわち、選択操作された条件ＣＮ１を満たす付加情報ＤＡ１が抽出され、抽出された付加情報ＤＡ１に基づいて再生リストＬ１が生成されて表示され、必要に応じて選択操作されたコンテンツＣＴ１に対して所定の処理が行われる。
表示したいシリーズの番組が記録媒体３０ａに記録されていない場合、主制御部１０は、ＯＳＤ信号と音声合成用信号の少なくとも一方を情報合成部２４へ出力して該当の番組が記録されていないことを通知し（Ｓ２２０）、図７に示す処理を終了させる。このようにして、主制御部１０は、操作入力された条件ＣＮ１を含む抽出対象の複数の条件ＣＮ１を満たす付加情報ＤＡ１を抽出する。
【００４８】
本具体例は、番組のジャンル、出演者名、及び、キーワードの少なくとも一つを操作入力することができるので、ユーザーの好みに応じた付加情報リストを作成することが容易になる。
【００４９】
（５）表示制御装置、表示制御方法、及び、表示制御プログラムの第三の例：
図８は、主制御部１０が主体となって行うコンテンツ選択実行処理の第三の例を示している。第三の例では、最終回判定した番組の列の色を変えて表示する。最終回を検知した番組の表示枠を変えることで、光ディスク等へまとめて書き出すようにユーザーを促すことができる。
【００５０】
処理が開始されると、主制御部１０は、記録媒体３０ａに記録されたコンテンツＣＴ１に付加されている付加情報ＤＡ１のうち抽出対象の条件ＣＮ１を満たす付加情報ＤＡ１を抽出する（Ｓ３０２）。この付加情報ＤＡ１には、図２に示すシリーズ情報等、シリーズの最終回を検知可能な情報が含まれている。Ｓ３０４では、抽出した付加情報ＤＡ１に基づいて再生リストＬ１を生成して表示装置４０に表示させる。Ｓ３０６では、抽出した付加情報ＤＡ１からシリーズの最終回の番組を表す情報を検索する。Ｓ３０８では、シリーズ最終回の番組の付加情報ＤＡ１を表示しているか、すなわち、付加情報ＤＡ１にシリーズ最終回を表す情報（例えば最終回を表すシリーズ情報）が含まれていたか否かを判断する。シリーズ最終回を表す情報が含まれている場合、主制御部１０は、該当の番組の付加情報列の色を変える（Ｓ３１０）。
【００５１】
例えば、図４に示す再生リストＬ１において、「戦力…」の「第５話」がシリーズの最終回の番組であるものとする。この場合、「戦力…」の「第５話」の付加情報ＤＡ１にシリーズ最終回を表す情報「終」が含まれ、この情報「終」を含む付加情報列（列番号３の付加情報列Ｌ２）の全付加情報ＤＡ１に情報「終」が格納される。図５に示すように表示される再生リストＬ１においては、「戦力…」の付加情報列が「最終回検知」に対応した色で表示される。この色は、情報「終」が格納されていない付加情報列の表示色とは異なる。
以上のようにして、主制御部１０は、付加情報列Ｌ２に番組のシリーズの最終回に対応する付加情報ＤＡ１が含まれている場合、最終回が含まれていることを表す色（情報）を付加情報列Ｌ２に対応付けて表示装置４０に表示させる。むろん、主制御部１０は、色を変える代わりに最終回が含まれていることを表す文字又は記号を付加情報列Ｌ２に対応付けて表示装置４０に表示させてもよい。
【００５２】
Ｓ３１２では、表示された再生リストＬ１の中から処理対象のコンテンツＣＴ１の選択操作を受け付ける。Ｓ３１４では、選択操作されたコンテンツＣＴ１に対して所定の処理を行う。主制御部１０は、Ｓ３１６において、コンテンツ選択実行処理を終了すると判断した場合に図８に示す処理を終了させ、終了しないと判断した場合に処理をＳ３０２に戻す。
本具体例は、再生リストＬ１を見れば番組のシリーズの最終回が含まれていることが判るので、コンテンツを選択する操作がさらに容易となる。
【００５３】
（６）表示制御装置、表示制御方法、及び、表示制御プログラムの第四の例：
図９は、主制御部１０が主体となって行うコンテンツ選択実行処理の第四の例を示している。第四の例では、表示した各番組に対して、予約録画、おまかせ自動録画、タイムシフトマシン録画、等、録画方法に応じて色を変えて表示する。予約録画は、ＥＰＧからの選択操作を受け付けて予約された録画によりコンテンツ等を記録媒体に記録する録画方法である。タイムシフトマシン録画は、指定されたチャンネルの番組を全て録画する録画方法である。また、記録ストレージの容量が少なくなった時に録画日が古いものから自動で削除する場合、消去が近い番組を通知する。尚、同時に録画可能な番組の数に上限があるため、おまかせ自動録画は、キーワード等によって番組検索を行ったときに番組数の上限の範囲内で重複しないように録画する機能を有している。よって、放送番組によっては、毎週録画できていた番組が録画できなくなる可能性もある。第四の例では、おまかせ自動録画で録画されている番組が放送番組如何で録画できない可能性があることも視覚的に確認することが可能となる。
【００５４】
処理が開始されると、主制御部１０は、記録方法種類情報ＤＡ２を含めて、記録媒体３０ａに記録されたコンテンツＣＴ１に付加されている付加情報ＤＡ１のうち抽出対象の条件ＣＮ１を満たす付加情報ＤＡ１を抽出する（Ｓ４０２）。Ｓ４０４では、Ｓ３０４と同様に再生リストＬ１を生成して表示装置４０に表示させる。Ｓ４０６では、抽出した記録方法種類情報ＤＡ２に基づいて、予約録画で録画された番組を検索する。Ｓ４０８では、抽出した記録方法種類情報ＤＡ２に基づいて、おまかせ自動録画で録画された番組を検索する。Ｓ４１０では、抽出した記録方法種類情報ＤＡ２に基づいて、タイムシフトマシン録画で録画された番組を検索する。Ｓ４１２では、Ｓ４０６〜Ｓ４１０で検索された番組の付加情報列Ｌ２の色を変える。
【００５５】
例えば、図４に示す再生リストＬ１において、シリーズ「おじいちゃん…」の各番組は、予約録画で録画されたものとする。シリーズ「キャンディ…」の各番組は、おまかせ自動録画で録画されたものとする。シリーズ「…ミステリー」の各番組は、タイムシフトマシン録画で録画されたものとする。これらの場合、「おじいちゃん…」の各番組の記録方法種類情報ＤＡ２に予約録画を表す「予」が含まれ、「キャンディ…」の各番組の記録方法種類情報ＤＡ２におまかせ自動録画を表す「お」が含まれ、「…ミステリー」の各番組の記録方法種類情報ＤＡ２にタイムシフトマシン録画を表す「シフト」が含まれる。図５に示すように表示される再生リストＬ１においては、「おじいちゃん…」の付加情報列が「予」に対応した色で表示され、「キャンディ…」の付加情報列が「お」に対応した色で表示され、「…ミステリー」の付加情報列が「シフト」に対応した色で表示される。これらの色と「最終回検知」に対応した色とは、互いに異なる。
以上のようにして、主制御部１０は、記録方法種類情報ＤＡ２に基づいてコンテンツＣＴ１の記録方法の種類を表す色（情報）を付加情報列Ｌ２に対応付けて表示装置４０に表示させる。むろん、主制御部１０は、色を変える代わりに記録方法の種類を表す文字又は記号を付加情報列Ｌ２に対応付けて表示装置４０に表示させてもよい。
【００５６】
Ｓ４１４では、抽出した付加情報ＤＡ１に基づいて所定期間内（例えば１日以内）に自動消去される番組を検索する。例えば、おまかせ自動録画の場合、記録媒体の記憶残量が所定量以下になると、保護されていないコンテンツは記録日時の古いものから順に自動的に削除される。そこで、録画予約状況に基づいておまかせ自動録画のコンテンツが削除される日時を予測することができ、この削除予測日時を付加情報ＤＡ１に含めることができる。Ｓ４１４では、例えば、付加情報ＤＡ１に含まれる削除予測日時が１日以内の番組が検索される。Ｓ４１６では、検索された消去対象番組に対して所定期間内に自動削除されることを意味する情報（例えばアイコン）を付ける。
【００５７】
例えば、図４に示す再生リストＬ１において、シリーズ「キャンディ…」の「第１話」の付加情報ＤＡ１には、所定期間内に自動削除されることを表す「消」が含まれている。図５に示すように表示される再生リストＬ１においては、「キャンディ…」の「第１話」に「消」アイコンが付けられている。
【００５８】
Ｓ４１８では、表示された再生リストＬ１の中から処理対象のコンテンツＣＴ１の選択操作を受け付ける。Ｓ４２０では、選択操作されたコンテンツＣＴ１に対して所定の処理を行う。主制御部１０は、Ｓ４２２において、コンテンツ選択実行処理を終了すると判断した場合に図９に示す処理を終了させ、終了しないと判断した場合に処理をＳ４０２に戻す。
本具体例は、再生リストＬ１を見ればコンテンツＣＴ１の記録方法の種類が判るので、コンテンツを選択する操作がさらに容易となる。
【００５９】
（７）表示制御装置、表示制御方法、及び、表示制御プログラムの第五の例：
図１０は、主制御部１０が主体となって行うコンテンツ選択実行処理の第五の例を示している。第五の例の再生リストＬ１は、付加情報列Ｌ２の条件ＣＮ１にシリーズ、ジャンル、出演者名、及び、キーワードが混在している。これにより、本当に頻繁に見る番組だけの再生リストとなる。
【００６０】
処理が開始されると、主制御部１０は、再生リストＬ１の外枠部分を表示装置４０に表示させる（Ｓ５０２）。Ｓ５０４では、前記外枠部分の中において図１１に示す再生リスト登録設定画面５１を表示装置４０に表示させる。この画面５１では、「番組名から登録」、「出演者から登録」、「ジャンルから登録」、又は、「キーワードから登録」をキー１４ａ，１５ａによりカーソルＣＲ２を移動させて選択操作可能である。「番組名から登録」が選択操作された場合（Ｓ５０６）、Ｓ５０８〜Ｓ５１８の処理が行われる。「出演者から登録」が選択操作された場合（Ｓ５２２）、Ｓ５２４〜Ｓ５２８，Ｓ５１４〜Ｓ５１８の処理が行われる。「ジャンルから登録」が選択操作された場合（Ｓ５４２）、Ｓ５４４〜Ｓ５４６，Ｓ５２８，Ｓ５１４〜Ｓ５１８の処理が行われる。「キーワードから登録」が選択操作された場合（Ｓ５６２）、Ｓ５６４〜Ｓ５６６，Ｓ５２８，Ｓ５１４〜Ｓ５１８の処理が行われる。
【００６１】
「番組名から登録」が選択されたＳ５０８において、主制御部１０は、図１２に示す録画リスト５２を表示装置４０に表示させる。Ｓ５１０では、録画リスト５２の番組一覧の中から再生リストＬ１に表示したいシリーズの番組の選択操作を受け付ける。Ｓ５１２では、選択操作された番組のシリーズの全番組を録画リスト５２の番組一覧から検索する。Ｓ５１４では、図１６に示すように、どの列に表示するのかの選択操作を受け付けるための表示列設定画面５６を表示装置４０に表示させる。列は、付加情報列Ｌ２に対応している。列の選択操作は、列に設けられるカーソルＣＲ４を操作部１４又はリモコン１５のカーソルキーで移動させて確定キーを押す等により受け付けられる。Ｓ５１６では、選択操作された列に検索された番組の付加情報列Ｌ２を設けるように再生リストＬ１を更新して表示装置４０に表示させる。主制御部１０は、Ｓ５１８において、上述した設定処理を終了すると判断した場合、例えば、図９で示したようにコンテンツの選択操作を受け付け（Ｓ４１８）、受け付けた処理を実行する（Ｓ４２０）。上述した設定処理を終了しないと判断した場合、主制御部１０は、処理をＳ５０６に戻す。
【００６２】
「出演者から登録」が選択されたＳ５２４において、主制御部１０は、図１３に示す出演者入力画面５３を表示装置４０に表示させ、キー１４ａ，１５ａにより出演者名の操作入力を受け付ける。Ｓ５２６では、記録媒体３０ａに記録されたコンテンツＣＴ１に付加されている付加情報ＤＡ１に基づいて、操作入力された出演者名を含む全番組を検索する。Ｓ５２８では、前記出演者名を含む番組が有るか否かを判断する。前記出演者名を含む番組がある場合、主制御部１０は、処理をＳ５１４に進めて表示列設定画面５６を表示装置４０に表示させ、再生リストＬ１を更新して表示装置４０に表示させる（Ｓ５１４〜Ｓ５１６）。該当する番組が無い場合、主制御部１０は、図示しない該当番組無し画面を表示装置４０に表示させ（Ｓ５３０）、処理をＳ５１８に進める。
【００６３】
「ジャンルから登録」が選択されたＳ５４４において、主制御部１０は、図１４に示すジャンル選択画面５４を表示装置４０に表示させ、キー１４ａ，１５ａによりカーソルＣＲ３を移動させてジャンルの選択操作を受け付ける。Ｓ５４６では、記録媒体３０ａに記録されたコンテンツＣＴ１に付加されている付加情報ＤＡ１に基づいて、選択操作されたジャンルの全番組を検索する。その後、主制御部１０は、前記ジャンルの番組が有るか否かを判断する（Ｓ５２８）。前記ジャンルの番組がある場合、主制御部１０は、処理をＳ５１４に進めて表示列設定画面５６を表示装置４０に表示させ、再生リストＬ１を更新して表示装置４０に表示させる（Ｓ５１４〜Ｓ５１６）。
【００６４】
「キーワードから登録」が選択されたＳ５６４において、主制御部１０は、図１５に示すキーワード入力画面５５を表示装置４０に表示させ、キー１４ａ，１５ａによりキーワードの操作入力を受け付ける。Ｓ５６６では、記録媒体３０ａに記録されたコンテンツＣＴ１に付加されている付加情報ＤＡ１に基づいて、操作入力されたキーワードを含む全番組を検索する。その後、主制御部１０は、前記キーワードを含む番組が有るか否かを判断する（Ｓ５２８）。前記キーワードを含む番組がある場合、主制御部１０は、処理をＳ５１４に進めて表示列設定画面５６を表示装置４０に表示させ、再生リストＬ１を更新して表示装置４０に表示させる（Ｓ５１４〜Ｓ５１６）。
【００６５】
以上より、本具体例は、見る頻度の高いコンテンツの付加情報で構成した有用な再生リストを提供することができる。
尚、図１１，１４に示す選択項目の一部が無い場合も、本技術に含まれる。
【００６６】
（８）表示制御装置、表示制御方法、及び、表示制御プログラムの第六の例：
図１７は、主制御部１０が主体となって行うコンテンツ選択実行処理の第六の例を示している。第六の例の再生リストＬ１は、録画日が新しい順、録画日が古い順、視聴回数順、及び、録画番組が多い順にソート表示可能である。再生リストＬ１の様々な表示の仕方を提供することで、ユーザーが再生リストＬ１を使い易くなる。
【００６７】
処理が開始されると、主制御部１０は、記録媒体３０ａに記録されたコンテンツＣＴ１に付加されている付加情報ＤＡ１のうち抽出対象の条件ＣＮ１を満たす付加情報ＤＡ１を抽出する（Ｓ６０２）。Ｓ６０４では、Ｓ３０４，Ｓ４０４と同様に再生リストＬ１を生成して表示装置４０に表示させる。Ｓ６０６では、ソートする列の選択操作を受け付ける。列は、付加情報列Ｌ２に対応している。列の選択操作は、列に設けられるカーソルＣＲ４を操作部１４又はリモコン１５のカーソルキーで移動させて確定キーを押す等により受け付けられる。Ｓ６０８では、図１８に示す再生リストソート表示設定画面５７を表示装置４０に表示させる。この画面５７では、「録画日が新しい順」、「録画日が古い順」、「試聴回数順」、又は、「録画日が多い順」をキー１４ａ，１５ａによりカーソルＣＲ５を移動させて選択操作可能である。尚、「録画日が多い順」は、列内でなく、列単位で列を記録日の多い順に並べ換えるための選択項目である。
【００６８】
「録画日が新しい順」が選択操作された場合（Ｓ６１０）、主制御部１０は、Ｓ６０６で選択操作された列について、最も上にある番組の記録日時が最も新しく最も下にある番組の記録日時が最も古くなるように順に付加情報ＤＡ１を並べ換えて表示装置４０に表示させる（Ｓ６１２）。
「録画日が古い順」が選択操作された場合（Ｓ６２０）、主制御部１０は、Ｓ６０６で選択操作された列について、最も上にある番組の記録日時が最も古く最も下にある番組の記録日時が最も新しくなるように順に付加情報ＤＡ１を並べ換えて表示装置４０に表示させる（Ｓ６２２）。
「試聴回数順」が選択操作された場合（Ｓ６３０）、主制御部１０は、Ｓ６０６で選択操作された列について、最も上にある番組の視聴回数が少なく最も下にある番組の視聴回数が最も多くなるように順に付加情報ＤＡ１を並べ換えて表示装置４０に表示させる（Ｓ６３２）。
「録画日が多い順」が選択操作された場合（Ｓ６４０）、主制御部１０は、最も左にある付加情報列Ｌ２の記録日が最も多く最も右にある付加情報列Ｌ２の記録日が最も少なくなるように順に付加情報列Ｌ２を並べ換えて表示装置４０に表示させる（Ｓ６４２）。
【００６９】
その後、主制御部１０は、Ｓ６１４において、上述した設定処理を終了すると判断した場合、例えば、図９で示したようにコンテンツの選択操作を受け付け（Ｓ４１８）、受け付けた処理を実行する（Ｓ４２０）。上述した設定処理を終了しないと判断した場合、主制御部１０は、処理をＳ６１０に戻す。
以上のようにして、主制御部１０は、付加情報列Ｌ２のソート条件の選択操作を受け付け、選択操作されたソート条件に従って付加情報列Ｌ２に含まれる付加情報ＤＡ１と付加情報列Ｌ２の少なくとも一方をソートして付加情報リストＬ１を更新する。
【００７０】
本具体例は、付加情報列Ｌ２に含まれる付加情報ＤＡ１と付加情報列Ｌ２の少なくとも一方がソートされるので、コンテンツを選択する操作がさらに容易となる。
尚、図１８に示す選択項目の一部が無い場合も、本技術に含まれる。
【００７１】
（９）その他変形例：
上述した処理の各ステップの順番は、適宜、変更可能である。例えば、図１０の処理において、Ｓ５０６の判断処理の前にＳ５２２の判断処理を行ってもよい。
上述した処理において、処理対象のコンテンツの選択操作を受け付ける処理や該コンテンツに対して所定の処理を行う処理が無くても、本技術に含まれる。
本技術は、記録再生装置のみならず、記録機能の無い再生装置、動画を再生する装置、静止画を再生する装置、等も含む。
【００７２】
上述した付加情報列に含まれる付加情報は、縦方向へ並べられる以外にも、横方向へ並べられてもよいし、縦方向から１〜３０°ずれた方向へ並べられてもよいし、横方向から１〜３０°ずれた方向へ並べられてもよい。むろん、付加情報リストに含まれる付加情報列は、横方向へ並べられる以外にも、縦方向へ並べられてもよいし、横方向から１〜３０°ずれた方向へ並べられてもよいし、縦方向から１〜３０°ずれた方向へ並べられてもよい。
また、付加情報リストに対して付加情報列に対応する条件が表示されない場合も、本技術に含まれる。
【００７３】
（１０）結び：
以上説明したように、本発明によると、種々の態様により、コンテンツを選択する操作を容易にすることが可能な技術等を提供することができる。むろん、独立請求項に係る構成要件のみからなる技術等でも、上述した基本的な作用、効果が得られる。
【００７４】
また、本発明は、前記実施例に限られない。例えば、
・前記実施例の中で開示した相互に置換可能な部材及び構成等を置換して適用すること
・前記実施例の中で開示されていないが、公知技術であって前記実施例の中で開示した部材及び構成等と相互に置換可能な部材及び構成等に置換すること
・前記実施例の中で開示されていないが、公知技術等に基づいて当業者が前記実施例の中で開示した部材及び構成等の代用として想定し得る部材及び構成等に置換すること
は、いずれも実施可能である。これらの置換した態様も、本発明に含まれる。
【符号の説明】
【００７５】
１…表示制御装置、１０…主制御部、
１４…操作部、１４ａ…キー、１５…リモコン、１５ａ…キー、
３０…記憶装置、３０ａ…記録媒体、
３１…内蔵ハードディスクドライブ、３１ａ…ハードディスク、
３２…外付けハードディスクドライブ、３２ａ…ハードディスク、
４０…表示装置（表示部）、４１，５１〜５７…画面、
ＣＮ１…条件、ＣＴ１…コンテンツ、ＣＲ１〜ＣＲ５…カーソル、
Ｄ１…第一所定方向、Ｄ２…第二所定方向、
ＤＡ１…付加情報、ＤＡ２…記録方法種類情報、
Ｌ１…リスト、Ｌ２…付加情報列、
Ｐ１…表示制御プログラム、
Ｕ１…抽出手段、Ｕ２…リスト表示制御手段、Ｕ３…コンテンツ選択手段、
Ｕ４…コンテンツ処理手段、Ｕ５…番組一覧表示制御手段。
【図１】
2016009908.tif 000003
【図２】
2016009908.tif 000004
【図３】
2016009908.tif 000005
【図４】
2016009908.tif 000006
【図５】
2016009908.tif 000007
【図６】
2016009908.tif 000008
【図７】
2016009908.tif 000009
【図８】
2016009908.tif 000010
【図９】
2016009908.tif 000011
【図１０】
2016009908.tif 000012
【図１１】
2016009908.tif 000013
【図１３】
2016009908.tif 000014
【図１４】
2016009908.tif 000015
【図１５】
2016009908.tif 000016
【図１６】
2016009908.tif 000017
【図１７】
2016009908.tif 000018
【図１８】
2016009908.tif 000019
【図１２】
2016009908.tif 000020